(57)【要約】【課題】カード状媒体の側端部の一方の端部近傍にエンボス部を有するカード状媒体を複数枚積載した構成であっても、最底位に位置するカード状媒体から順次に確実に送り出すことができるカード状媒体送り出し装置を提供することにある。【解決手段】スタッカ４の一方側の壁部７０の一部に、摩擦部材２００を設けることとしたので、送出部材の押し上げ動作によって押し上げられるカード状媒体は、他方側の壁部７１と摺動する他方側の側端部が、摩擦部材２００と摺動する一方側の側端部に先行して上方に移動するので、カード状媒体のエンボス部とカード状媒体の直上に積載されたカード状媒体の側端部との係合を外すことができる。そのため、良好なカード状媒体の送出しを行うことができる。【選択図】  図５
2008063026.tif 000002
【特許請求の範囲】
【請求項１】
内部に上下の平面を当接するようにして、複数枚のカード状媒体を積載して収納するスタッカと、前記積載された複数枚のカード状媒体における最底位に位置するカード状媒体に係合する係合部を有し、該係合部によって前記最底位に位置するカード状媒体を前記スタッカのゲート口から１枚ずつ送り出す送り出し手段とを備えるカード状媒体送り出し装置において、
前記カード状媒体の前記平面の側端部には、一方側の端部近傍にエンボス部を有し、前記スタッカには、前記エンボス部が重なるようにして前記複数のカード状媒体が積載されるとともに、前記一方側の端部が摺動する一方側の壁部と、該一方側の壁部と対向し、前記カード状媒体の他方側の端部が摺動する他方側の壁部とを有し、
前記係合部は、前記最底位に位置するカード状媒体の次に最底位となるカード状媒体の下面に当接して、該次に最底位となるカード状媒体を上方に持ち上げる持ち上げ部を有し、
前記一方側の壁部の摩擦係数と前記他方側の壁部の摩擦係数とを異なるように形成し、前記持ち上げ部によって前記次に最底位となるカード状媒体が持ち上げられることによって持ち上げられる前記複数枚のカード状媒体の前記一方側の端部の上方への移動量が、前記他方側の端部の移動量と異なることを特徴とするカード状媒体送り出し装置。
【請求項２】
前記他方側の壁部の摩擦係数が前記一方側の壁部の摩擦係数より大きく形成され、前記複数枚のカード状媒体は、前記一方側の端部の上方への移動量が前記他方側の端部より大きくなることを特徴とする請求項１記載のカード状媒体送り出し装置。
【請求項３】
前記一方側の壁部または前記他方側の壁部には、摩擦部または滑面部を備えることにより、前記一方側の壁部の摩擦係数と前記他方側の壁部の摩擦係数とを異ならせたことを特徴とする請求項１または２記載のカード状媒体送り出し装置。
【請求項４】
前記持ち上げ部は、少なくとも前記カード状媒体のエンボス部と、該カード状媒体の直上に位置する他のカード状媒体の側端部との引っ掛かりが外れる程度に前記複数のカード状媒体を持ち上げることを特徴とする請求項１ないし３のいずれかに記載のカード状媒体送り出し装置。
【請求項５】
前記摩擦部は、不織布で形成されたシート部材であり、前記シート部材は接着手段または貼着手段によって前記スタッカの前記一方側の壁部または前記他方側の壁部に接着または貼着されていることを特徴とする請求項１ないし４のいずれかに記載のカード状媒体送り出し装置。
【請求項６】
前記一方側の壁部と前記他方側の壁部とは、前記最底位に位置するカード状媒体から略３０枚目ないし５０枚目より上方に積載される前記カード状媒体との間の摩擦係数が異なるように形成されていることを特徴とする請求項１ないし５のいずれかに記載のカード状媒体送り出し装置。
【請求項７】
内部に上下の平面を当接するようにして、複数枚のカード状媒体が上方に積載されたスタッカから、前記複数枚のカード状媒体における最底位に位置するカード状媒体を順次送り出すカード状媒体送り出し装置において、
前記カード状媒体の前記平面の周縁部には、一方側の端部近傍にエンボス部を有し、前記スタッカには、前記エンボス部が重なるようにして前記複数枚のカード状媒体が積載されたとき、前記一方側の端部が対向して摺動可能な一方側の壁部を有するとともに、前記一方側の端部と平行に形成された他方の端部が対向して摺動可能な他方の壁部を有し、前記一方側の壁部または前記他方の壁部は上方に向かって傾斜し、その間隔が、上方に向かって狭くなるように形成されていることを特徴とするカード状媒体送り出し装置。
【請求項８】
前記一方側の壁部と前記他方側の壁部とは、互いに平行に形成された平行平面および該平行平面に連続する斜面部を有する斜面部材が取り付けられることによって構成されており、前記斜面部は、上方に向かって傾斜し、その間隔が上方に向かって狭くなるように形成されていることを特徴とする請求項７記載のカード状媒体送り出し装置。
【請求項９】
前記斜面部材は、前記斜面部が前記一方側の端部または前記他方側の端部の幅方向における一部のみに対向していることを特徴とする請求項８記載のカード状媒体送り出し装置。
【発明の詳細な説明】
【技術分野】
【０００１】
本発明は、本発明は、カード状媒体処理装置等のスタッカに保持されたカード状媒体を装置の外に送り出すためのカード状媒体送り出し装置に関する。
【背景技術】
【０００２】
従来から、カードリーダのスタッカに積層した複数のカード状媒体を送り出す装置として、スタッカの底面からカード状媒体に対して突出する送出部を設け、チェーンや送りねじ軸などに連結された駆動源により送出部を駆動させて、送出部をカード状媒体送出方向に移動させ、スタッカに積載された複数のカード状媒体の最底位のものから１枚ずつ、カード状媒体の送出方向に設けられたゲート口の向かって送り出す機構が用いられている。
【０００３】
送り出す機構としては、図８（ａ）、（ｂ）に示すように送り出すカード状媒体２の後端部の下面に当接する上面部３と、このカード状媒体の後端部を引っ掛ける係合部４とを有する送出部材１を、カード状媒体送出方向Ａとその反対方向Ｂとの間を往復動させて、カード状媒体２をスタッカの外部へ送り出すようにしていた。
【０００４】
【特許文献１】特開平９−１８５６８５号
【発明の開示】
【発明が解決しようとする課題】
【０００５】
近年、カード状媒体に形成されたエンボス部がカード状媒体の短手幅方向における一方の端部の近傍のみに設けられるものがあり、このような位置にエンボス部が設けられたカード状媒体は、エンボス部どうしを重ねるようにして積載すると、積載された複数枚のカード状媒体の厚みが不均一になる。別言すれば、複数枚のカード状媒体の積載方向における上部に至るほどに、カード状媒体は傾斜を帯びた姿勢となる。傾斜を帯びた姿勢のカード状媒体の場合、カード状媒体のエンボス部に、その直上に位置するカード状媒体の端部が引っ掛かることがあり、このようにして一旦引っ掛りが発生すると引っ掛かったカード状媒体がスタッカ内の最底位まで到達しないという問題がある。その結果、カード状媒体がゲート口から確実に送り出されないという問題がある。
【０００６】
本発明は、以上のような従来からの問題点を解決するためになされたものであり、その目的は、カード状媒体の側端部の一方の端部近傍にエンボス部を有するカード状媒体を複数枚積載した構成であっても、最底位に位置するカード状媒体から順次に確実に送り出すことができるカード状媒体送り出し装置を提供することにある。
【課題を解決するための手段】
【０００７】
以上のような課題を解決するため、本発明は、内部に上下の平面を当接するようにして、複数枚のカード状媒体を積載して収納するスタッカと、前記積載された複数枚のカード状媒体における最底位に位置するカード状媒体に係合する係合部を有し、該係合部によって前記最底位に位置するカード状媒体を前記スタッカのゲート口から１枚ずつ送り出す送り出し手段とを備えるカード状媒体送り出し装置において、前記カード状媒体の前記平面の側端部には、一方側の端部近傍にエンボス部を有し、前記スタッカには、前記エンボス部が重なるようにして前記複数のカード状媒体が積載されるとともに、前記一方側の端部が摺動する一方側の壁部と、該一方側の壁部と対向し、前記カード状媒体の他方側の端部が摺動する他方側の壁部とを有し、前記係合部は、前記最底位に位置するカード状媒体の次に最底位となるカード状媒体の下面に当接して、該次に最底位となるカード状媒体を上方に持ち上げる持ち上げ部を有し、前記一方側の壁部の摩擦係数と前記他方側の壁部の摩擦係数とを異なるように形成し、前記持ち上げ部によって前記次に最底位となるカード状媒体が持ち上げられることによって持ち上げられる前記複数枚のカード状媒体の前記一方側の端部の上方への移動量が、前記他方側の端部の移動量と異なることを特徴とする。
【０００８】
また、本発明において、前記他方側の壁部の摩擦係数が前記一方側の壁部の摩擦係数より大きく形成され、前記複数枚のカード状媒体は、前記一方側の端部の上方への移動量が前記他方側の端部より大きくなることが好ましい。このように構成すると、カード状媒体のエンボス部と、その直上に位置するカード状媒体の端部とに引っ掛かりが発生していた場合であっても、一方側の端部の上方への移動量が他方側の端部の移動量より大きいので、双方のカード状媒体を無理なく上方に移動させることが可能になり双方のカード状媒体の引っ掛かりを確実に外すことができる。
【０００９】
さらに、本発明において、前記一方側の壁部の摩擦係数と前記他方側の壁部の摩擦係数とを異ならせるために、前記一方側の壁部または前記他方側の壁部には、摩擦部または滑面部を備えるようにしても良い。さらにまた、本発明において、前記持ち上げ部は、少なくとも前記カード状媒体のエンボス部と、該カード状媒体の直上に位置する他のカード状媒体の側端部との引っ掛かりが外れる程度に前記複数のカード状媒体を持ち上げるように構成することにより、双方のカード状媒体の引っ掛かりを確実に外すことができる。
【００１０】
また、本発明において、前記摩擦部は、不織布で形成されたシート部材であり、前記シート部材は接着手段または貼着手段によって前記スタッカの前記一方側の壁部または前記他方側の壁部に接着または貼着されていることが好ましい。このように構成すると、不織布で形成されたシート部材を一方側の壁部または他方側の壁部に接着または貼着するだけで、一方側の壁部の摩擦係数と他方側の壁部の摩擦係数とを異ならせることができる。従って、一方側の壁部または前記他方側の壁部自身に特別な加工を施す必要がなく、容易に摩擦部を形成させることができる。
【００１１】
さらに、本発明において、前記一方側の壁部と前記他方側の壁部とは、前記最底位に位置するカード状媒体から３０枚目ないし５０枚目より上方に積載される前記カード状媒体との間の摩擦係数が異なるように形成されていることが好ましい。このように構成すると、カード状媒体のエンボス部と、このカード状媒体の上方に位置する他のカード状媒体の側端部とが引っ掛かりが生じる可能性のあるカード状媒体自身の上方への移動量を異ならせることにより、カード状媒体のエンボス部と、その直上に位置するカード状媒体の端部とに引っ掛かりが発生していた場合であっても、双方のカード状媒体の引っ掛かりを確実に外すことができる。
【００１２】
さらにまた、本発明の別の実施形態によれば、内部に上下の平面を当接するようにして、複数枚のカード状媒体が上方に積載されたスタッカから、前記複数枚のカード状媒体における最底位に位置するカード状媒体を順次送り出すカード状媒体送り出し装置において、
前記カード状媒体の前記平面の周縁部には、一方側の端部近傍にエンボス部を有し、前記スタッカには、前記エンボス部が重なるようにして前記複数枚のカード状媒体が積載されたとき、前記一方側の端部が対向して摺動可能な一方側の壁部を有するとともに、前記一方側の端部と平行に形成された他方の端部が対向して摺動可能な他方の壁部を有し、前記一方側の壁部または前記他方の壁部は上方に向かって傾斜し、その間隔が、上方に向かって狭くなるように形成されていることを特徴とする。
【００１３】
また、本発明の別の実施形態において、前記一方側の壁部と前記他方側の壁部とは、互いに平行に形成された平行平面および該平行平面に連続する斜面部を有する斜面部材が取り付けられることによって構成されており、前記斜面部は、上方に向かって傾斜し、その間隔が上方に向かって狭くなるように形成されていることが好ましい。このように構成すると、斜面部を平行平面に連続するようにして斜面部材を取り付けるだけで一方側の壁部と他方の壁部との間隔が上方に向かって狭くなるように形成させることができる。故に、既存のスタッカの一方側の壁部または前記他方側の壁部自身に特別な加工を施す必要がなく、容易に一方側の壁部と前記他方側の壁部との間隔を上方に向かって狭くなるように形成させることができる。従ってスタッカの汎用性を向上することができる。
【００１４】
さらに、本発明の別の実施形態において、前記斜面部材は、前記斜面部が前記一方側の端部または前記他方側の端部の幅方向における一部のみに対向していることが好ましい。
【発明の効果】
【００１５】
以上説明したように、本発明は、カード状媒体のエンボス部と、その直上に位置するカード状媒体の端部とで引っ掛かりが発生しても、一方側の壁部の摩擦係数と他方側の壁部の摩擦係数とを異なるように形成し、持ち上げ部によって最底位となるカード状媒体の次に最底位となるカード状媒体が持ち上げられることによって持ち上げられる複数枚のカード状媒体の一方側の端部の上方への移動量が、他方側の端部の移動量と異なるように構成させたことにより、双方のカード状媒体の引っ掛かりを外すことが可能となり最底位に位置するカード状媒体から順次に確実に送り出すことができる。
【００１６】
また、本発明の別の実施の形態によれば、カード状媒体の一方側の端部が対向して摺動可能な一方側の壁部または一方側の端部と平行に形成された他方の端部が対向して摺動可能な他方の壁部は上方に向かって傾斜し、その間隔が、上方に向かって狭くなるように形成されている。故に、エンボス部が重なることにより傾斜を帯びた姿勢のカード状媒体が幅方向へ移動するのを抑えることができる。従って、エンボス部と、このカード状媒体の上方に位置するカード状媒体の側端部とが係合することを未然に防止し、最底位に位置するカード状媒体から順次に確実に送り出すことができる。
【発明を実施するための最良の形態】
【００１７】
図１はカード状媒体送り出し装置の概略図であり、図２（ａ）（ｂ）は図１に示すカード状媒体送出し装置における送り出し部材の説明図である。図３は、図２に示す送出し部材を拡大して示す拡大図である。図４はカード状媒体の説明図である。図５は、スタッカ及び、摩擦部材を示す説明図である。図７は、スタッカにカード状媒体が積載された状態の断面を模式的に示す模式図である。
【００１８】
（実施の形態１）
以下、本発明に係わる実施の形態１について、図面に基づいて説明する。
【００１９】
（送り出し装置の構成）
本形態のカード状媒体送出装置１００は、図１に示すように、複数のカード状媒体１を積層して収納したスタッカ４と、複数のカード状媒体１のうち最底位に位置するカード状媒体１ａ（以下最底位のカード状媒体１ａとする）の後述する後端部８３（図４参照）に係合して最底位のカード状媒体１ａをスタッカ４の外に送り出す送出部材５０と、カード状媒体送出方向Ｐに設けられ、スタッカ４から最底位のカード状媒体１ａを外部に向けて送出するゲート口２と、送出部材５０によりゲート口２から送り出された最底位のカード状媒体１ａを挟持して、最底位のカード状媒体１ａをスタッカ４から外にさらに送り出す送り出しローラ５、６とを備えている。すなわち、送り出しローラ５、６のうち、送り出しローラ５のみが駆動されるようになっており、送出ローラ６は送り出しローラ５と協働してゲート口２から送り出された最底位のカード状媒体１ａを挟持し、最底位のカード状媒体１ａをスタッカ４から外に送り出すようになっている。なお、送出部材５０は図３に示すように、カード状媒体後端部８３に係合する爪形状の係合部５１を有している。
【００２０】
スタッカ４は、複数のカード状媒体１を積層して収納する枠体であり、スタッカ４が装着されてカード状媒体送出装置１００が構成されている。このスタッカ４の内部には、複数の発行前のカード状媒体１が上下の平面を当接するようにして積層されている。ここで発行前のカード状媒体１とは、表面に凹凸を有するエンボス８４（図４参照）が設けられ、スタッカ４内に収納可能なカード状の媒体のことをいう。
【００２１】
カード状媒体１は、図４に示すように、長尺辺の一方側の側端部８０と他方側の側端部８１、短尺辺の一方側であるカード後端部８３と先端部８２から成る長方形状に形成されている。このカード状媒体１には、例えば、所持人の名前などの基本情報や、銀行取引における取引記録が記録されており、カード状媒体処理装置等によって書込みまたは読取などの処理がなされる。エンボス部８４は、凸形状に形成された数字や記号等であり、図４に示すように、カード状媒体１の表面の側端部において、側端部８１の近傍位置のみに形成されている。なお、エンボス部８４の数字や記号は、カードの有効期限や、カードの所持人名等を示すものであり、カード状媒体の用途に応じて設けられている。また、エンボス部８４が形成される位置は、用途に応じて種種多様であるが、本実施の形態においては特に側端部８１の近傍位置、すなわち図４の左下の部分のみに形成されている。
【００２２】
図１、図２に示すように、スタッカ４の底板３の下方には駆動機構８が配設されている。また、この底板３の駆動機構８と反対側の面は、最底位のカード状媒体１ａがカード状媒体送り出し方向Ｐに向けて送られるとき、最底位のカード状媒体１ａの下面が摺動する底面になっている。
【００２３】
スタッカ４は、底板３の四方の端部から上方に延設された４つの壁部を有し、そのうち一方側の壁部７０には、図５に示すように、摩擦部材２００が両面テープを用いて貼着されている。この摩擦部材２００の壁部７０に対する固定方法は必ずしも両面テープに限定されるものではなく、接着剤を用いて接着固定してもよい。なお、摩擦部材２００は、不織布などの柔軟な素材により形成されたシート状の部材であり、最底位のカード状媒体１ａから数えて、３０枚ないし５０枚目に積載されるカード状媒体１の位置から上方の壁部７０に貼着されている。別言すれば、最底位のカード状媒体１ａから３０枚ないし５０枚目までの間（図５の矢印Ｑの部分）には摩擦部材２００が貼着されていない。
【００２４】
スタッカ４内には複数のカード状媒体１が、その一方側の側端部８０が、一方側の壁部７０を摺動し、他方側の側端部８１が、他方側の壁部７１を摺動するように積載されている。従って、カード状媒体１の一方側の側端部８０が摩擦部材２００と摺動するようになっている。そのため、カード状媒体１の一方側の側端部８０が摩擦部材２００と摺動する位置では、図６に示すスタッカ４の他方側の壁部７１とカード状媒体１の他方側の側端部８１との摩擦抵抗よりも大きくなっている。なお、本実施の形態では、摩擦部材２００をスタッカ４の一方側の壁部７１に設けることとしているが、必ずしも摩擦部材２００に限定されるものではない。すなわち、カード状媒体１の一方側の側端部８０と一方側の壁部７０との摩擦係数が、カード状媒体１の他方側の側端部８１と他方側の壁部７１との摩擦係数と異なるように形成されていれば良く、このような摩擦部材２００に限られるものではない。従って、例えば、スタッカ４の一方側の壁部７０側に平滑剤等を塗布した平滑部を設けた構成でも良く、この場合、カード状媒体１の一方側の側端部８０が平滑部と摺動する位置では、スタッカ４の他方側の壁部７１とカード状媒体１の他方側の側端部８１との摩擦抵抗よりも小さいものとなっている。
【００２５】
本形態において他方側の壁部７１は、図５に示すように底部３に設けられた支軸７２によって回動自在に軸支された扉によってその一部が構成されている。この扉は、図５において図示されていないが、スタッカ４内にカード状媒体１を収納するとき、またはカード状媒体を取出すときなどに支軸７２を支点として、回動して開閉可能になっている。なお、扉の開閉方向は本形態に限られるものではなく、例えば、カード状媒体１の積載方向に対して平行な支軸によって回動自在に軸支された扉であっても良い。
【００２６】
図５に示すように、底板３には、スタッカ４に積層された複数のカード状媒体１の短尺方向の略中心にカード状媒体１の長尺方向に沿って長孔７が設けられており、駆動機構８の送出部材５０が長孔７から底板３の底面側へ突出して長孔７に沿って移動可能に構成されている。
【００２７】
本形態において、送出部材５０は、樹脂材でモールド形成され、図３に示すチェーン２１に連結ピン５６により取り付けられている。具体的には、送出部材５０は、固定部５５に形成された固定孔５５ａに、連結ピン５６を通して、チェーン２１のリンク部材３１と固定部５５とを連結させて、止め具３４を用いてチェーン２１に固定されている。なお、チェーン２１は、図１に示す２つのスプロケット２０、２０’との間に掛け渡された送出部材５０を駆動する駆動部材になっている。
【００２８】
スプロケット２０は、例えばステッピングモータ２３などの駆動手段により駆動される。このスプロケット２０の駆動力が、チェーン２１を介して従動スプロケット２０’に伝達されて、従動スプロケット２０’が回転する。これにより、送出部材５０がチェーン２１の回転とともに平行移動する。チェーン２１には、チェーン２１及び送出部材５０の底面３のへの沈みを防止するためのチェーンガイド２２が設けられている。以上、送出部材５０を駆動する駆動機構８は、駆動部材としてのチェーン２１と、スプロケット２０、２０’、チェーンガイド２２および駆動スプロケット２０の駆動源であるステッピングモータ２３により構成されている。
【００２９】
本形態において、ステッピングモータ２３は一方向のみに駆動される。そのため、送出部材５０は、送出部材５０がスプロケット２０、２０’の上方側にあるときカード媒体送出方向Ｐへ向かう往路と、送出部材５０がスプロケット２０、２０’の下方側にあるときカード媒体送出方向Ｐとその反対の方向へ向かう復路とを往復移動するようになっている。なお、往路において、送出部材５０が長孔７から突出して、最底位のカード状媒体１ａの後端部８３と係合し、最底位のカード状媒体１ａをスタッカ４の外に送り出すようになっている。
【００３０】
図２（ａ）に示すように、送出部材５０が長孔７から突出した際の上面の後端側を押上げ部５１ａとしており、この押し上げ部５１ａは、送出部材５０が、スプロケット２０に沿って回転する際、その回転軌跡の最外周となるように構成されている。従って、最底位に位置するカード状媒体１ａの次に最底位に位置するカード状媒体１ｂは、最底位に位置するカード状媒体１ａが係合部５１によって送り出される際に、送出部材５０の上面によって押し上げられる押上げ量より、押上げ部５１ａによってさらに上方までに押し上げることになる。
【００３１】
本形態では、最底位に位置するカード状媒体１ａから数えて３０ないし５０枚目に積載されたカード状媒体１より上方に積載された複数のカード状媒体１の一方側の側端部８０が、摩擦部材２００と摺動するようになっている。故に、最底位に位置するカード状媒体１ａの次に最底位に位置するカード状媒体が、押上げ部５１ａによって上方に押し上げたとき、摩擦部材２００と摺動する複数のカード状媒体１は、その一方側の側端部８０の上方への移動が、他方側の側端部８１の上方への移動に比較して抑制されることになる。換言すれば、摩擦部材２００と摺動する複数のカード状媒体１は、他方側の壁部７１と摺動する他方側の側端部８１が、摩擦部材２００と摺動する一方側の側端部８０に先行して上方に移動することになる。
【００３２】
（送出部材の動作）
次に、媒体送出装置１００における媒体１の送り出しの動作について詳細に説明する。
【００３３】
まず、図１及び図２に示すようにステッピングモータ２３の駆動力によって駆動スプロケット２０が駆動される。スプロケット２０、２０’の間にはチェーン２１が掛け渡されているので、チェーン２１が駆動されると、同時に、従動スプロケット２０’が回転される。そして、チェーン２１に取り付けられた送出部材５０が、図１に示すようにスプロケット２０’上にあるｂの位置からカード状媒体送出方向Ｐに移動する。
【００３４】
図２に示すように、送出部材５０がカード状媒体送出方向Ｐに移動している間、送出部材５０は長孔７から突出し、係合部５１が最底位の媒体１ａの後端部８３に係合して、最底位の媒体１ａをゲート口２からスタッカ４の外部に押し出す。このようにしてスタッカ４の外部に押し出された最底位の媒体１ａの先端部８２は、スタッカ４の外部に設けられた送出ローラ５と対向ローラ６とに挟持される位置で、これらの送出ローラ５、６に受け渡される。この受け渡しによって送出部材５０の送り出し動作は終了する。
【００３５】
図２（ａ）に示されるように、送出部材５０は、符号ｄの位置以降で、送出部材５０から送出ローラ５、６への受け渡しが行われるようになっており、図２（ｂ）の符号Ｍの位置において、送出部材５０による送り出し動作が終了するとともに、次にスタッカ４の最底位に位置するカード状媒体１ｂの裏面に押し上げ部５１ａが当接する。その結果、カード状媒体１ｂが持ち上げられ、スタッカ４内に積載された複数のカード状媒体１は、スタッカ４の上部に向かって跳ね上げられるようにして移動する。その後、送出部材５０が図２（ａ）の符号ｆの位置に移動することにより、跳ね上げられ複数のカード状媒体１はスタッカ４の下部に向かって落下する。その後、送出部材５０は、カード状媒体送出方向Ｐと反対の方向に移動し、図１に示すｃの位置を経てｂの位置に戻る。
【００３６】
（実施の形態１の効果）
以上説明したように、本形態のカード状媒体送り出し装置１００では、スタッカ４の一方側の壁部７０の一部に、摩擦部材２００を設けることとしたので、摩擦部材２００と摺動する複数のカード状媒体１は、その一方側の側端部８０の上方への移動が、他方側の側端部８１の上方への移動に比較して抑制されることになる。換言すれば、摩擦部材２００と摺動する複数のカード状媒体１は、他方側の壁部７１と摺動する他方側の側端部８１が、摩擦部材２００と摺動する一方側の側端部８０に先行して上方に移動することになる。  
【００３７】
ここで、壁部７０と壁部７１の摩擦係数が同等の場合、複数のカード状媒体１は、そのままの姿勢で上下動するのみとなるため、スタッカ４の上方に移動してもカード状媒体１のエンボス部８４の凸部Ｔと、このカード状媒体１の直上に積載されたカード状媒体Jの一辺の側端部Ｋとの係合が外れない。一方、本形態よれば、他方側の壁部７１と摺動する他方側の側端部８１が、摩擦部材２００と摺動する一方側の側端部８０に先行して上方に移動するので、一方側の側端部８０と他方側の側端部８１との上方への移動量の差により、図７のようにカード状媒体１のエンボス部８４の凸部Ｔとカード状媒体１の直上に積載されたカード状媒体Jの一辺の側端部Ｋとが係合したとしても、送出し部材５０の押し出し動作を利用して解除することができ、良好なカード状媒体の送出しを行うことができる。
【００３８】
（実施の形態２）
図６（ａ）は、本発明におけるスタッカの斜面部材を示す斜視図であり、（ｂ）はその横側断面図である。
【００３９】
次に、本発明における第２の実施の形態として、図６を用いて説明する。なお、本形態においてスタッカ４’以外の構成は全て実施の形態１と同一であるため、実施の形態１と同じ部分についてはその説明および、図示を省略する。
【００４０】
スタッカ４’の一方側の壁部７０の一部には、図６に示すように斜面部材２００Ａが設けられている。斜面部材２００Ａは、傾斜部２０１が、スタッカ４’の底面３からカード状媒体１を３０枚〜５０枚程度積み重ねたときの厚み幅に相当する位置（図５Ｑ参照）から、スタッカ４’の上部に向かって傾斜し、一方側の壁部７０と他方の壁部７１との間隔が、スタッカ４’の下部より上部が狭くなるように、カード状媒体１の一方側の側端部８０に当接可能に延設されている。また斜面部材２００Ａを接着剤を用いて固定しているが、接着剤に限られず、スタッカ４’の壁部に溶接して取り付けられていてもよく、また、スタッカ４’の壁部に孔を設けてネジ等でビス止めして固定するものであってもよい。
【００４１】
斜面部材２００Ａは、その全長におけるほぼ中間の位置から、スタッカ４’の下部の方向に傾斜する傾斜部２０１を備えている。傾斜部２０１は、カード状媒体１の一方側の側端部８０に当接して、スタッカ４内の複数のカード状媒体１の他方側の側端部８１が、スタッカ４の上部に向けて傾く姿勢になるようにしている。すなわち、スタッカ４における複数のカード状媒体１は、スタッカ４’の幅が下部から上部に至る程に狭くなるように、斜面部材２００Ａの形状に沿ってスタッカ４内に収納されている。また、傾斜部２０１は、カード状媒体１の一方側の側端部８０の一部のみに対向する幅に形成されている。
【００４２】
（実施の形態２の効果）
以上説明したように、本形態のカード状媒体送り出し装置１００では、スタッカ４’の一方側の壁部７０の一部に斜面部材２００Ａが設けられている。この斜面部材２００Ａは、斜面部２０１が、スタッカ４’の底面３からカード状媒体１を３０枚〜５０枚程度を積み重ねたときの厚み幅に相当する位置から、スタッカ４’の上方に向かって傾斜し、一方側の壁部７０と他方の壁部７１との間隔が、スタッカ４’の下方より上部が狭くなるように形成されている。故に、スタッカ４’の底面３からカード状媒体１を３０枚〜５０枚程度を積み重ねたときの厚み幅に相当する位置から、スタッカ４’の上方積載された複数のカード状媒体１が幅方向へ移動することを抑えることができる。
【００４３】
ここで、エンボス部８４が重なって傾斜姿勢になると、他方の壁部７１とカード状媒体１の側端部８１との間に隙間が生じる。この隙間は、一方側の壁部７０と他方の壁部７１との間隔が一定の場合、スタッカ４’の底面３からカード状媒体１を３０枚〜５０枚程度を積み重ねたときの厚み幅に相当する位置から、スタッカ４’の上方に積載された複数のカード状媒体１では、カード状媒体１が移動して、カード状媒体１のエンボス部８４と、このカード状媒体１の上方に位置する他のカード状媒体１の側端部８１とが引っ掛かりが生じる可能性がある大きさになっている。
【００４４】
本形態によれば、スタッカ４’の底面３からカード状媒体１を３０枚〜５０枚程度を積み重ねたときの厚み幅に相当する位置から上方積載された複数のカード状媒体１の幅方向へ移動することを抑えることができる。従って、スタッカ４’内に複数のカード状媒体１を積載する際や、スタッカ４’を持ち運ぶ際にスタッカ４’が過剰に振られるようなことがあっても、カード状媒体１のエンボス部８４と、このカード状媒体１の直上に位置する他のカード状媒体１の側端部８１との引っ掛かりを未然に防止し、最底位に位置するカード状媒体から順次に確実に送り出すことができる。
【図面の簡単な説明】
【００４５】
【図１】本発明におけるカード状媒体送り出し装置の概略を示す概略図である。
【図２】（ａ）は図１に示すカード状媒体送出し装置における送り出し部材の説明図であり、（ｂ）は押し上げ部材の動作説明図である。
【図３】図２に示す送出し部材を拡大して示す拡大図である。
【図４】カード状媒体のエンボス部を示す平面図である。
【図５】スタッカ及び、摩擦部材を示す説明図である。
【図６】（ａ）、（ｂ）スタッカを説明する斜視図である。
【図７】スタッカにカード状媒体が積載された状態の断面を模式的に示す模式図である。
【図８】（ａ）従来の送出部材を示す斜視図であり、（ｂ）は送出部材の送出動作を示す斜視図である。
【符号の説明】
【００４６】
１  カード状媒体
１ａ  最底位のカード状媒体
２  ゲート口
３  底板
４  スタッカ
５、６  送出ローラ
７  長孔
８  駆動機構
２０、２０’  スプロケット
２１  チェーン
２３  ステッピングモータ
７０  一方側の壁部
７１  他方側の壁部
７２  支軸
８０  一方側の側端部
８１  他方側の側端部
８４  エンボス部
１００  カード状媒体送出し装置
２００  摩擦部材
２００Ａ  斜面部材
２０１  傾斜部
【図１】
2008063026.tif 000003
【図２】
2008063026.tif 000004
【図３】
2008063026.tif 000005
【図４】
2008063026.tif 000006
【図５】
2008063026.tif 000007
【図６】
2008063026.tif 000008
【図７】
2008063026.tif 000009
【図８】
2008063026.tif 000010